(57)【要約】【課題】メインのキャディバッグに加えサブのキャディバッグを使用する場合に、メインのキャディバッグの使い勝手を悪化させることなく両者を一体として運搬可能なものとしながらその着脱操作を容易なものとする。【解決手段】メインバッグ２とこれよりも小径且つ少ない本数のゴルフクラブを収納可能なサブバッグ３が、外周面の一部を互いに密着させながら着脱操作可能な状態で一体に連結してなるキャディバッグ１であって、サブバッグ３は外周面のうち密着する面の中央部分がゴルフクラブを内側に収納できる空間を形成して外側に突出した凸部３５を有し、メインバッグ２は外周面のうち密着する面の中央部分が凸部３５の外面形状と一致した内面形状を形成して内側に陥凹した凹部２５を有しており、その凹部２５に凸部３５を挿入・密着させて係合した連結状態とされ、固定手段の持ち手３７と固定ベルト２８で連結状態を固定されるものとした。【選択図】図１
2016147078.tif 000002
【特許請求の範囲】
【請求項１】
ゴルフクラブを上端側開口部から挿入して収納可能な有底筒状のメインバッグと、該メインバッグよりも少ない本数のゴルフクラブを上端側開口部から挿入して収納可能な有底筒状で前記メインバッグよりも小径のサブバッグが、その外周面の一部を互いに密着させながら着脱操作可能な状態にて一体に連結したキャディバッグであって、前記サブバッグは、その外周面のうち前記密着する面の中央部分が少なくとも１本のゴルフクラブを内側に収納できる空間を形成しながら外側に突出してなる凸部を有しており、前記メインバッグは、その外周面のうち前記密着する面の中央部分が前記凸部の外面形状と一致した内面形状を形成するように内側に陥凹してなる凹部を有しており、前記メインバッグの凹部に前記サブバッグの凸部を挿入・密着させて係合した連結状態とされ、所定の固定手段でその連結状態を固定されて使用されることを特徴とするキャディバッグ。
【請求項２】
前記サブバッグは、その外周面に前記メインバッグに密着する面側とは反対側にスタンドが付設されており、単独で自立式のキャディバッグになるものとされ、前記メインバッグに密着する側の上端部から先端側の長い下向きＪ字状の持ち手が延設されており、前記メインバッグとの連結時に前記持ち手の所定部分が前記メインバッグ口枠内における仕切の所定箇所に係合又は圧接することで、前記固定手段の少なくとも一部を構成する、ことを特徴とする請求項１に記載したキャディバッグ。
【請求項３】
前記メインバッグは、前記密着する面に隣接した側面にシート材で袋状に形成された縦長のサイドバッグが付設されており、その前記密着する面に近い端縁部分を除く端縁部分が前記メインバッグの外周面から分離可能なものとされ、前記サブバッグを連結していない状態で、その前記密着する面に遠い端縁側を前記密着する面側に旋回させて前記凹部を外側から覆った状態にて所定の掛止手段で掛止可能なものとされ、前記覆った状態で前記陥凹した部分にゴルフクラブを収納可能なものとされている、ことを特徴とする請求項１又は２に記載したキャディバッグ。
【請求項４】
請求項１，２又は３に記載したキャディバッグにおいて前記メインバッグとして使用されるキャディバッグであって、前記サブバッグの凸部を係合させる前記凹部を有して前記サブバッグを連結可能とされており、単独でキャディバッグとしての使用が可能とされている、ことを特徴とするキャディバッグ。
【請求項５】
請求項１，２又は３に記載したキャディバッグにおいて前記サブバッグとして使用されるキャディバッグあって、前記メインバッグの凹部に係合する前記凸部を有して前記メインバッグに連結可能とされており、単独でキャディバッグとしての使用が可能とされて、いることを特徴とするキャディバッグ。
【発明の詳細な説明】
【技術分野】
【０００１】
本発明は、ゴルフクラブを収納して運搬するためのキャディバッグ（ゴルフバッグ）に関し、殊に、１本のキャディバッグが分離して２本のキャディバッグになる分離式のキャディバッグ及びそのメイン部分を構成するキャディバッグに関する。
【背景技術】
【０００２】
近年のゴルフでは、キャディを使用しないセルフプレー方式のラウンドが主流になったこともあり、グリーン付近及びグリーンで使用するクラブを収納するサブのキャディバッグを、ゴルフカートに搭載するメインのキャディバッグとともにゴルフ場に持参するプレイヤーが増えている。このサブのキャディバッグはキャリーバッグ又はサブバッグとも呼ばれ、主としてグリーン付近で使用する可能性のあるショートアイアンとグリーン上で使用するパターを収納してプレイヤー自ら運んで使用するものであり、スタンドで自立する方式のものが一般的である。
【０００３】
しかし、ゴルフ場の行き帰りにおいてメインのキャディバッグに加えサブのキャディバッグを運搬することは面倒であるとともに、車のトランクに搭載する際には嵩張りやすいものとなる。また、ゴルフクラブはメインのキャディバッグに収納して運搬するのが通常であり、プレーする直前にグリーン付近で使用するゴルフクラブをサブのキャディバッグに移し替え、プレーが終了したらサブのキャディバッグからメインのキャディバッグに移し替える必要があるため、その作業が極めて面倒であった。
【０００４】
この問題に対し、特許第５８８６９３２号公報には、メインのキャディバッグの開口部を構成する口枠の仕切り形状において、それよりも小径のサブのキャディバッグを挿入可能な第１開口を設けたものが提案されており、保管時及び運搬時にはサブのキャディバッグをメインのキャディバッグの内部に挿入した状態でゴルフクラブを収納し、ゴルフ場ではサブのキャディバッグをメインのキャディバッグから取り出して、手持ち式にて使用することを可能なものとしている。
【０００５】
しかし、このように、メインのキャディバッグ内にサブのキャディバッグを挿入して使用する場合は、サブのキャディバッグに付設したスタンドがその第１開口を介した着脱操作の邪魔になりやすい。また、このようにサブのキャディバッグをメインのキャディバッグの口枠内部に形成した第１開口に挿入する方式にあっては、その開口面積のうち第１開口を構成する枠体の内側部分に挿入するサブのキャディバッグの外枠の面積分及びスタンドを通過させる面積分を確保する必要があるため、１４本のゴルフクラブを総て収納するには、メインのキャディバッグの口径が大きくなりすぎて使い勝手が悪くなりやすい。さらに、サブのキャディバッグを抜いた状態では、最も大きな面積を占める第１開口には仕切りがない状態となるため、使い勝手の悪いものとなってしまう。
【先行技術文献】
【特許文献】
【０００６】
【特許文献１】特許第５８８６９３２号公報
【発明の概要】
【発明が解決しようとする課題】
【０００７】
本発明は、上記のような問題を解決しようとするものであり、メインのキャディバッグに加えサブのキャディバッグを使用する場合に、メインのキャディバッグの使い勝手を悪化させることなく両者を一体として運搬可能なものとしながらその着脱操作を容易なものとすることを課題とする。
【課題を解決するための手段】
【０００８】
そこで、本発明は、ゴルフクラブを上端側開口部から挿入して収納可能な有底筒状のメインバッグと、これよりも少ない本数のゴルフクラブを上端側開口部から挿入して収納可能な前記メインバッグよりも小径の有底筒状のサブバッグが、その外周面の一部を互いに密着させながら着脱操作可能な状態にて一体に連結したキャディバッグであって、そのサブバッグは、その外周面のうち前記密着する面の中央部分が少なくとも１本のゴルフクラブを内側に収納できる空間を形成しながら外側に突出してなる凸部を有しており、そのメインバッグは、その外周面のうち前記密着する面の中央部分が前記凸部の外面形状と一致した内面形状を形成するように内側に陥凹してなる凹部を有しており、メインバッグの凹部にサブバッグの凸部を挿入・密着させて係合した連結状態とされ、所定の固定手段でその連結状態で固定されて使用されることを特徴とするものとした。
【０００９】
このように、サブバッグをメインバッグの口枠内部に挿入して一体化するのではなく、サブバッグから突出した部分がメインバッグの陥凹した部分に係合しながら外周面同士が密着して連結する方式としたことで、メインバッグの口径を過大にすることなく両者を一体化できるとともにその着脱作業も容易なものとなり、且つ、キャディバッグとして、結合状態による大、メインバッグによる中、サブバッグよる小、による３通りの異なる容量にて使用可能なものとなる。
【００１０】
また、このキャディバッグにおいて、そのサブバッグはその外周面にメインバッグに密着する面側とは反対側にスタンドが付設されており、単独では自立式のキャディバッグになるものとされ、そのメインバッグに密着する側の上端部から先端側の長い下向きＪ字状の持ち手が延設されており、メインバッグとの連結時にその持ち手の所定部分がメインバッグ口枠内の仕切の所定箇所に係合又は圧接することで、前記固定手段の少なくとも一部を構成することを特徴としたものとすれば、メインバッグに対するサブバッグの着脱操作が容易になるとともに連結部分の上端側がしっかりと固定されやすいものとなる。
【００１１】
さらに、上述したキャディバッグにおいて、そのメインバッグは、前記密着する面に隣接した側面にシート材で袋状に形成された縦長のサイドバッグが付設されており、その前記密着する面に近い端縁部分を除く端縁部分がメインバッグ外周面から分離可能なものとされ、サブバッグを連結していない状態で、その前記密着する面に遠い端縁側を前記密着する面側に旋回させて前記凹部を外側から覆った状態にて所定の掛止手段で掛止可能なものとされ、前記覆った状態で前記陥凹した部分にゴルフクラブを収納可能なものとされている、ことを特徴としたものとすれば、メインバッグを単独で使用する際に、その陥凹部分を収納部として利用することができ、その口径を拡大させることなく多くのゴルフクラブを収納できるものとなる。
【００１２】
さらにまた、上述したキャディバッグにおいてメインバッグとして使用されるキャディバッグであって、前記サブバッグの凸部を係合させる前記凹部を有して前記サブバッグを連結可能とされており、単独でキャディバッグとしての使用が可能とされている、ことを特徴としたものとすれば、前記サブバッグと組み合わせて使用することで上述した各機能を発揮できるとともに、連結時のキャディバッグとサブバッグの中間サイズのキャディバッグとして、単独で使用できるものとなる。
【００１３】
加えて、上述したキャディバッグにおいてサブバッグとして使用されるキャディバッグであって、前記メインバッグの凹部に係合する前記凸部を有して前記メインバッグに連結可能とされており、単独でキャディバッグとしての使用が可能とされている、ことを特徴としたものとすれば、前記サブバッグと組み合わせて使用することで上述した各機能を発揮できるものとなる。
【発明の効果】
【００１４】
サブバッグから突出した部分がメインバッグの陥凹した部分に係合しながら外周面同士が密着して連結する方式とした本発明によると、メインのキャディバッグの使い勝手を悪化させることなく両者を一体として運搬可能なものとしながらその着脱操作が極めて容易なものとなる。
【図面の簡単な説明】
【００１５】
【図１】（Ａ）は本発明の実施の形態であるキャディバッグの平面図、（Ｂ）は（Ａ）のキャディバッグのメインバッグからサブバッグを外した状態の平面図である。
【図２】図１（Ａ）の正面図である。
【図３】（Ａ）は図１（Ｂ）の状態からサイドバッグの掛止手段を外した状態の平面図、（Ｂ）は（Ａ）の状態からサイドバッグの掛止側を旋回させてメインバッグの凹部を覆った状態で掛止した状態の平面図である。
【図４】図３（Ｂ）の正面図である。
【発明を実施するための形態】
【００１６】
以下に、図面を参照しながら本発明を実施するための形態を説明する。
【００１７】
図１（Ａ）は、本実施の形態であるキャディバッグ１を平面図で示しており、図（Ｂ）はこれを２つのキャディバッグに分離した状態を示している。このキャディバッグ１は、主としてゴルフ場においてセルフプレーを行う場合に使用することを想定したものであり、５〜６本程度のゴルフクラブを収納可能で手持ち式に使用される有底筒状のグリーン付近用のサブバッグ３と、口枠２０内側の挿入空間２０ａに９本程度のゴルフクラブを収納可能でゴルフカートに固定的に搭載される有底筒状のメインバッグ２とが連結してなるものであり、連結状態で１４本程度のゴルフクラブを収納することができる。
【００１８】
即ち、図１（Ａ）において、メインバッグ２とこれよりも小径のサブバッグ３が、外周面の一部を密着させながら着脱操作可能な状態にて一体的に連結した状態となっており、そのサブバッグ３は、スタンド３３を備えて単独では自立式のキャディバッグであり、その外周面のうちスタンド３３とは反対側の面がメインバッグ２と密着する面となり、密着する面の中央部分が、内側に２本程度のゴルフクラブを収納可能な空間を形成するように突出して凸部３５を構成している。
【００１９】
一方、そのメインバッグ２は、平面視で方形に近い略円錐台状に形成され、その外周面のうち肩ベルトのある面とは反対側のサブバッグ３が密着する面の中央部分が、凸部３５の外面形状と一致した内面形状を形成するように内側に陥凹してなる凹部２５を有している。そして、メインバッグ２の凹部２５にサブバッグ３の凸部３５を挿入・密着させて互いに係合させた状態にて、後述する係合手段により連結状態を固定されるものである。
【００２０】
サブバッグ３のメインバッグ２に密着する側の上端部からは、先端側の長い下向きＪ字状の持ち手３７が延設されており、メインバッグ２との連結時に、この持ち手３７の斜め下向きでやや遠心方向に延びた先端側を、メインバッグ２の口枠２０内を長手方向に渡した仕切り２６の中央部を超えた位置に上方から挿入して押し下げることで、その斜め下向きの内側面が仕切り２６の側面に圧接しながら掛止機能を発揮するものであり、これが前述した連結状態の固定手段の一部を構成している。
【００２１】
また、その連結状態を固定するための他の固定手段として、基端側をメインバッグ３外周面に固定され先端側に挿入ジョイント２８ａを備えた固定ベルト２８が設けられており、サブバッグ３上端側の口枠３０外周面に掛けながら挿入ジョイント２８ａをメインバッグ３側の受けジョイント２８ｂに掛止することでサブバッグ３の上端側を外側から押圧した状態で固定するようになっている。
【００２２】
図２は、図１（Ａ）で示したキャディバッグ１の正面図であるが、このキャディバッグ１は、前述したように、メインバッグ２とサブバッグ３が係合して一体的に連結したことで、外観的にも１個のキャディバッグとなっている。また、メインバッグ２の前記密着する面に隣接した側面には、布を袋状に形成してなるサイドバッグ２３が設けられており、その前記密着する面に近い端縁側のみメインバッグ２外周面に縫製で接続されて他の端縁部分が接続されておらず、その接続されていない部分が前述の掛止手段で着脱自在とされている。さらに、メインバッグ２の肩ベルトの上端付近には着脱式のポーチ２９も備えている。
【００２３】
図３は（Ａ）は、図１（Ｂ）の状態からメインバッグ２のサイドバッグ２３の掛止手段である挿入ジョイント２３ａ，２３ａが、受けジョイント２３ｂ，２３ｂから外された状態を示しており、図（Ｂ）は図（Ａ）の状態から前記密着する面に遠い端部側を、前記密着する面側に旋回させて凹部２５を外側から覆った状態にして、その挿入ジョイント２３ａ，２３ａを受けジョイント２３ｃ、２３ｃに掛止した状態を示しており、図４はその正面図を示している。
【００２４】
このように、凹部２５をサブバッグ２３が覆った状態にして固定したことで、それにより形成された挿入空間２０ｂにゴルフクラブを２本程度収納することができ、空間２０ａと合わせて１１本程度のゴルフクラブを収納できるようになる。したがって、本実施の形態のキャディバッグ１は、メインバッグ２とサブバッグ３が連結した状態の１４本程度、メインバッグ２単独の１１本程度、サブバッグ単独の５〜６本程度、というように大中小３通りのゴルフクラブの容量にて使用することができる。尚、図３（Ｂ）に示したように、サブバッグ３の口枠３０の内側空間は、メインの挿入空間３０ａに３〜４本程度、凸部３５により形成された挿入空間３０ｂに２本程度のゴルフクラブを収納できるようになっている。
【００２５】
また、図４に示すように、サブバッグ３の凸部３５下端側の底面には係合用凹部３５ａが形成されており、図１（Ｂ）のサブバッグ３を外した状態のメインバッグ２の底面部分を構成するカップ状の底部材において凹部２５の下端側を渡すように形成した壁状の係合用凸部２４が、その連結時にサブバッグ３の係合用凹部３５ａと係合して連結における下端側を固定できるようになっており、これらも連結状態を固定する固定手段の１つとなっている。
【００２６】
したがって、本実施の形態のキャディバッグは、ゴルフ場への行き帰りに連結した状態で使用することにより、嵩張らない状態にて運搬しながら容易に取り扱えるものとなり、ゴルフ場においてはメインバッグ２とサブバッグ３に分離して、メインバッグ２のみゴルフカートに固定的に搭載し、サブバッグ３はゴルフカートの一部に持ち手３７を利用して掛ける等しながら、グリーン近くでは手持ち式にて使用することができる。
【００２７】
また、練習場やショートコースで使用する場合は、１０本前後のゴルフクラブを使用する際は図３（Ｂ）の状態のメインバッグ２を、５本前後のゴルフクラブを使用する際はサブバッグ３を各々単独でキャディバッグとして使用すれば、収納するゴルフクラブの本数に応じて、最もコンパクト且つ軽量な状態となるため、持ち運び及び取り扱いにおいて極めて便利なものとなる。
【００２８】
以上、述べたように、本発明により、メインのキャディバッグに加えてサブのキャディバッグを使用する場合に、メインのキャディバッグの使い勝手を悪化させることなく両者を一体として運搬可能なものとしながら、その着脱操作を容易にすることが可能となった。
【符号の説明】
【００２９】
１  キャディバッグ、２  メインバッグ、３  サブバッグ、２０，３０  口枠、２０ａ，２０ｂ，３０ａ，３０ｂ  挿入空間、２３  サイドバッグ、２４  係合用凸部、２５  凹部、３５  凸部、３５ａ  係合用凹部、２６，３６  仕切り、２８  固定ベルト、３３  スタンド、３７  持ち手
【図１】
2016147078.tif 000003
【図２】
2016147078.tif 000004
【図３】
2016147078.tif 000005
【図４】
2016147078.tif 000006